(57)【特許請求の範囲】
【請求項１】
次の必須要素、
ａ）式（Ｉ）：
【化１】
0005465004.tif 000015
（式中、Ｒ1は直鎖又は分岐状の飽和又は不飽和Ｃ6〜Ｃ22アルキル及び／又はアルケニル基、又はＲ3（ＯＣＨ2ＣＨ2）m基を示し、Ｒ2は水素、直鎖又は分岐状の飽和又は不飽和Ｃ6〜Ｃ22アルキル及び／又はアルケニル基、又はＲ3（ＯＣＨ2ＣＨ2）m基を示し、Ｒ3は水素、又は直鎖又は分岐状の飽和又は不飽和Ｃ6〜Ｃ22アルキル及び／又はアルケニル基を示し、ｍは１〜１５の数を示し、Ｚは水素又は適切なカチオンを示す）
で表わされる一種以上のリン酸エステルと、
ｂ）式（ＩＩ）：
Ｒ−Ｏ−（ＣＨ2ＣＨ2Ｏ）n−ＣＨ2ＣＯＯＭ （ＩＩ）
（式中、Ｒは直鎖又は分岐状の飽和又は不飽和Ｃ6〜Ｃ22アルキル及び／又はアルケニル基を示し、ｎは０．５〜２０の数を示し、Ｍは水素、又はアルカリ金属、アンモニウム、アルキルアンモニウム、アルカノールアンモニウム及びグルコアンモニウムから成る群から選択される適切なカチオンを示す）
で表わされる一種以上のエーテルカルボキシレートと、
ｃ）１〜２０モルの酸化エチレンでエトキシ化されていてもよい一種以上のＣ6〜Ｃ22脂肪酸と、
ｄ）１〜２０モルの酸化エチレンでエトキシ化されていてもよい一種以上のＣ6〜Ｃ22脂肪族アルコールと、
ｅ）水と
を含有し、成分（ａ）と成分（ｂ）の重量比が９：１〜１：３の範囲である、潤滑剤組成物。
【請求項２】
成分（ａ）と成分（ｂ）の重量比は５：１〜１：３の範囲である、請求項１に記載の潤滑剤組成物。
【請求項３】
式（Ｉ）で表わされる前記リン酸エステルはモノエステルとジエステルとの混合物を含む、請求項１又は２に記載の潤滑剤組成物。
【請求項４】
リン酸モノエステルとリン酸ジエステルの重量比は５０：５０〜９５：５である、請求項３に記載の潤滑剤組成物。
【請求項５】
リン酸エステルのアルキル及び／又はアルケニル基におけるＣ16〜Ｃ18の割合は７０％より高い、請求項１〜３のいずれか一項に記載の潤滑剤組成物。
【請求項６】
式（Ｉ）で表わされる前記リン酸エステルは平均エトキシ化度２〜８でエトキシ化されている、請求項１〜５のいずれか一項に記載の潤滑剤組成物。
【請求項７】
式（ＩＩ）で表されるエーテルカルボキシレートは、ｎの値が１〜１０の範囲であり、Ｍは水素、ナトリウム又はカリウムである、請求項１〜６のいずれか一項に記載の潤滑剤組成物。
【請求項８】
脂肪酸におけるＣ16〜Ｃ18の割合は７０％より高い、請求項１〜７のいずれか一項に記載の潤滑剤組成物。
【請求項９】
脂肪族アルコールにおけるＣ16〜Ｃ18の割合は７０％より高い、請求項１〜８のいずれか一項に記載の潤滑剤組成物。
【請求項１０】
請求項１〜９のいずれか一項に記載の潤滑剤組成物において、重量パーセントで表した場合、
ａ）式（Ｉ）で表されるリン酸エステル（１０〜８５％）と、
ｂ）式（ＩＩ）で表されるエーテルカルボキシレート（５〜６０％）と、
ｃ）脂肪酸（０．１〜３０％）と、
ｄ）脂肪族アルコール（０．１〜３０％）と、
ｅ）水（１００％まで添加）と
を含有する潤滑剤組成物。
【請求項１１】
請求項１〜１０のいずれか一項に記載の潤滑剤組成物において、式（ＩＩ）で表されるエーテルカルボキシレートは、
Ｉ）平均エトキシ化度が２〜８のＣ6〜Ｃ10アルキル及び／又はアルケニルエーテルカルボキシレートと、
ＩＩ）平均エトキシ化度が１〜１０のＣ12〜Ｃ18アルキル及び／又はアルケニルエーテルカルボキシレートとの混合物である、潤滑剤組成物。
【請求項１２】
請求項１１に記載の潤滑剤組成物において、重量パーセントで表した場合、
ａ）式（Ｉ）で表されるリン酸エステル（１５〜５５％）と、
ｂ1）平均エトキシ化度が２〜８のＣ6〜Ｃ10アルキル及び／又はアルケニルエーテルカルボキシレート（５〜２０％）と、
ｂ2）平均エトキシ化度が１〜１０のＣ12〜Ｃ18アルキル及び／又はアルケニルエーテルカルボキシレート（１０〜４５％）と、
ｃ）脂肪酸（１〜２０％）と、
ｄ）脂肪族アルコール（１〜２０％）と、
ｅ）水（１００％まで添加）と
を含有する、潤滑剤組成物。
【請求項１３】
Ｃ12〜Ｃ18アルキル及び／又はアルケニルエーテルカルボキシレートとＣ6〜Ｃ10アルキル及び／又はアルケニルエーテルカルボキシレートとの重量比は８：１〜１：５の範囲である、請求項１１又は１２に記載の潤滑剤組成物。
【請求項１４】
請求項１０〜１３のいずれか一項に記載の潤滑剤組成物であって、当該潤滑剤組成物を２〜１０，０００体積倍希釈して用いるものである潤滑剤組成物。
【請求項１５】
請求項１〜１４のいずれか一項に記載の潤滑剤組成物をコンベアシステムに連続して又は間隔を置いて適用することから成る、コンベアシステム潤滑方法。
【請求項１６】
ガラス瓶、ポリエチレンテレフタレート（ＰＥＴ）ボトル、ポリカーボネート（ＰＣ）ボトル、缶、ガラス容器、ドラム缶又は段ボール容器のための、請求項１５に記載のコンベアシステム潤滑方法。
【請求項１７】
請求項１〜１４のいずれか一項に記載の潤滑剤組成物の、コンベアシステム潤滑のための使用。
【請求項１８】
コンベアシステムはガラス瓶、ポリエチレンテレフタレート（ＰＥＴ）ボトル、ポリカーボネート（ＰＣ）ボトル、缶、ガラス容器、ドラム缶又は段ボール容器のための、請求項１７に記載の使用。
【発明の詳細な説明】
【技術分野】
【０００１】
本発明は、コンベアシステム用（特に食品産業において）として特に好ましく、搬送チェーンの潤滑、洗浄及び消毒に好適な潤滑剤組成物に関する。より詳細には、本発明は、該組成物の潤滑剤としての使用、特に、ガラス瓶及び／又はプラスチックボトル（例えば、ポリエチレンテレフタレート（ＰＥＴ）ボトルやポリカーボネート（ＰＣ）ボトル）や缶、ガラス容器、ドラム缶、段ボール容器等のためのコンベアシステムにおける使用に関する。
【背景技術】
【０００２】
通常、飲料製造業者のボトル工場や樽工場、また、食品包装においては、連結式プレートコンベアベルトや他の搬送システムが用いられている。前記システムは常に潤滑してボトルや容器の機械強度（mechanical strength）を低下させるようにし、また、常に洗浄して汚れを除去したり微生物による汚染を回避するようにしているが、このような処理は、噴霧システムを備えたコンベアベルトや他の搬送システム用自動潤滑システムを用い、適切な水性潤滑剤を優先的に適用することによって行っている。
【０００３】
通常、こうした目的には、石鹸系潤滑剤（最小炭素数が８の脂肪酸又は脂肪酸混合物の無機又は有機アルカリ塩を主成分とする）が用いられている。
【０００４】
しかし、石鹸系潤滑剤の場合、次のような幾つかの問題が生じる。
錯形成により水の硬度を低下させるためには、潤滑剤は相当量のエチレンジアミノ四酢酸やニトリロ三酢酸を含有しなければならない。このことにより、潤滑システムのノズルを詰まらせ得るカルシウム塩の形成が防止される。
水の硬度が高い程、より大量の錯化剤を潤滑剤組成物に用いなければならない。これにより、最終生成物の石鹸分を減らす必要にせまられる。しかし、そのために組成物の潤滑作用が低下する。
石鹸系潤滑剤組成物を用いると、比較的多量の泡を生ずるが、これは既に生成した泡状の石鹸を除去するのが非常に難しいためである。潤滑剤によって生成した過剰な泡はコンベアベルトを潤滑する際に消え、搬送品に浸透する可能性がある。一方、コンベアベルト上での泡の生成によってこれらの受け部の自動制御が妨害される。
錯化剤を全く用いないか、ごく少量の錯化剤を用いて、製品内でのカルシウム石鹸の泡の生成を軟水を用いて防止すると、これらの製品を使用するコストが上昇する。
エチレンジアミノ四酢酸（ＥＤＴＡ）は標準的な生分解性試験において簡単には生分解しない（易生分解性や本質的生分解性のＡＳＴＭ又はＯＥＣＤ基準）。
【０００５】
このような問題点のために、石鹸系潤滑剤に代って、脂肪族アミン及び／又はジアミンを主成分とする潤滑剤やリン酸エステルを主成分とする潤滑剤の利用が次第に増えている。
【０００６】
更に、アルキルエーテルカルボン酸やカルボン酸塩もコンベアシステム用潤滑剤組成物においてそれぞれ単独で、又は他の化学物質と組合わせて用いられている。
【０００７】
例えば、特許文献１には、コンベアベルト潤滑剤として用いるためのソープフリー潤滑剤であって、
ａ）一般式：Ｒ−［Ｏ−（ＣＨ2）m］n−ＣＯＯＭ（式中、Ｒは飽和又は不飽和アルキル基、ｍ＝２〜３、ｎ＝３〜７、ＭはＨ、アルカリ金属又はアルカノールアミンカチオン）で表わされる非イオン性カルボキシレート化合物と、
ｂ）一般式：ＲＣＯＮ（ＣＨ3）ＣＨ2ＣＯＯＭ（式中、ＲはＣ11〜Ｃ19アルキル又はアルケニル基、ＭはＨ、アルカリ金属又はアルカノールアミンカチオン）で表わされるアシルサルコシネートと、
ｃ）水、及び必要に応じて、ＨＬＢ値が１０〜１２を示し洗浄性を改善する従来の非イオン性界面活性剤とから成る潤滑剤が主に記載されている。
【０００８】
特許文献２には、Ｎ−アルキルジアミンと、その有機酸との塩と、必要に応じて、有機酸及び式：Ｒ−（ＯＣ2Ｈ4）xＯ（ＣＨ2）yＣＯＯＨ（式中、ＲはＣ10〜Ｃ20アルキル基（好ましくはＣ16〜Ｃ18）、ｘ＝１〜２０（好ましくは５〜１５）、ｙ＝０〜５（好ましくは１））で表わされるエーテルカルボキシレートとを含有するボトルコンベアベルト用潤滑剤組成物が記載されている。
【０００９】
特許文献３には、ｉ）一種以上のアミンと、ｉｉ）一種以上のエーテルカルボキシレートと、ｉｉｉ）一種以上のポリエチレングリコールと、ｉｖ）通常の添加物及び補助剤（最大９９重量％）とから成る、アミンを主成分とする、食品産業におけるコンベアベルト設備用潤滑剤濃縮物が記載されている。
ここに記載のエーテルカルボキシレートは、一般式：Ｒ−（Ｏ（ＣＨ2）m）nＯＣＨ2ＣＯＯ-Ｍ+（式中、Ｒは直鎖又は分岐状の飽和Ｃ1〜Ｃ22アルキル基、炭素数が２〜２２で直鎖又は分岐状の一価不飽和又は多価不飽和アルケニル又はアルキニル基、及び一価又は多価のＣ1〜Ｃ22アルキル又はＣ2〜Ｃ22アルケニル又はアルキニル置換アリール基から成る群から選択され、ｍは２又は３であり、ｎは１〜３０の範囲の正の数であり、Ｍは水素又はアルカリ金属である）で表わされる化合物である。
【００１０】
特許文献４には、光学的に透明で、実質的にソープフリーで、ｐＨ値が６〜８の範囲である水性潤滑剤組成物であって、水と、
（ａ）炭素数が１０〜１８のアルキル部分と、アルカリ金属イオン、アンモニウムイオン、及び炭素数が１〜約１４のアルカノールアミン部分を有するアルカノールアンモニウムイオンから成る群から選択されるカチオンとを有するアルキルベンゼンスルホネート分子（組成物全体に対し０．０２〜１５重量％）と、
（ｂ）一般式：Ｒ1−Ｏ（−ＣＨ2−ＣＨ（Ｒ2）−Ｏ）n−ＰＯ3Ｘ（式中、Ｒ1は炭素数が約１２〜約１８の一価の脂肪族炭化水素基から成る群から選択され、Ｒ2はＨ又はＣＨ3であり、Ｘは水素又はアルカリ金属であり、ｎは約８〜約１２の範囲の整数である）に対応する部分エステル化ホスホン酸又はリン酸塩分子（組成物全体に対し０．０２〜１５重量％）と、
（ｃ）炭素数が約６〜約２２で、タイター（titer）が２０℃以下の脂肪族カルボン酸から成る群から選択される分子（組成物全体に対し０．０１〜１０重量％）とを含有し、必要に応じて（ｄ）従来の可溶化剤、溶媒、発泡防止剤、消毒剤又はこれらの混合物を含有し、成分（ａ）と成分（ｂ）との重量比が約３：１〜約１：３であり、成分（ｃ）と成分（ａ）及び（ｂ）の合計との重量比が約１：２０〜約１：４である潤滑剤組成物が記載されている。
【００１１】
特許文献５には、コンベア及び搬送システム用チェーン潤滑剤であって、水と、次のａ）〜ｄ）：
ａ）式：Ｒ1（ＯＣ2Ｈ4）m（ＯＣ3Ｈ6）nＯ−（ＣＨ2）pＣＨＲ2Ｃ（Ｏ）ＯＲ3
（式中、Ｒ1は直鎖又は分岐状の飽和Ｃ1〜Ｃ22アルキル基、炭素数２〜２２で直鎖又は分岐状の一価不飽和又は多価不飽和アルケニル又はアルキニル基、又はＣ1〜Ｃ22アルキル又はアルケニル又はアルキニル基で一箇所以上置換されていてもよい（optionally substituted one or more times）アリール基であり、ｍは０〜３０の範囲の数であり、ｎは０〜３０の範囲の数であり、ｐは１〜４の範囲の数であり、Ｒ2は水酸基又は水素であり、Ｒ3は水素、メチル基又はアルカリ金属である）で表わされるモノアルキル〜ポリアルキレングリコールエーテルカルボン酸、
ｂ）一般式：Ｒ4−Ｃ6Ｈ6−ＳＯ3Ｍ（ＩＩ）
（式中、Ｒ4は直鎖又は分岐状の飽和Ｃ1〜Ｃ22アルキル基、又は炭素数２〜２２で直鎖又は分岐状の一価不飽和又は多価不飽和アルケニル又はアルキニル基であり、Ｍは水素又はアルカリ金属である）で表わされるアルキルベンゼンスルホン酸又はその塩の内の一種、
ｃ）一般式：（Ｒ5−（ＯＣ2Ｈ4）q−（ＯＣ3Ｈ6）r−Ｏ）s−ＰＯ2Ｒ6Ｈ
（式中、Ｒ5は直鎖又は分岐状の飽和Ｃ1〜Ｃ22アルキル基、炭素数２〜２２で直鎖又は分岐状の一価不飽和又は多価不飽和アルケニル又はアルキニル基、又はＣ1〜Ｃ22アルキル又はアルケニル又はアルキニル基で一箇所以上置換されていてもよいアリール基であり、ｑは０〜３０の範囲の数であり、ｒは０〜３０の範囲の数であり、ｓは１又は２であり、ｓが１の場合、Ｒ6は水酸基であり、ｓが２の場合、Ｒ6は存在しない）で表わされるモノアルキル〜ポリアルキレングリコールリン酸モノ又はジエステル、及び
ｄ）これらの混合物
から成る群から選択される界面活性剤と、消毒剤と、更に補助剤と添加物質とを含有し、前記消毒剤は二酸化塩素を含有する潤滑剤が記載されている。
【００１２】
特許文献６には、式：Ｒ−（ＯＣＨ2ＣＨ2）n−Ｏ−ＣＨ2ＣＯＯＸ（式中、Ｒは炭素数１２〜２２のアルキル、アルケニル又はアルキニル基、ｎは０．３〜１５の数、Ｘは水素、アルカリ金属、アンモニウムカチオン又はヒドロキシアルキルアンモニウムカチオン）で表わされるエーテルカルボキシレートの潤滑剤としての使用が記載されている。
特許文献６によると、記載のエーテルカルボキシレートは具体的にはコンベアシステムに用いることができる。
【００１３】
特許文献７には、金属加工業用潤滑剤、研磨剤、冷却剤として用いる液体である機能性流体（特に油圧油（ＨＦやＨＦＡ））のための腐食防止剤が記載されている。特許文献７の表１〜３には、腐食防止剤として用いることができる水と混合可能な濃縮物が記載されている。特許文献７の実施例３及び比較例Ｃには、脂肪族アルコールポリグリコールエーテル（３．６ｗｔ．％）、オレイルエーテル（oleic ether）（５ＥＯ）カルボン酸（１．８ｗｔ．％）、トール油脂肪酸（０．８ｗｔ．％）及び２−エチルヘキシルリン酸（２．０ｗｔ．％）を含有する水と混合可能な濃縮物が記載されている。これらの組成物は潤滑特性を示し得るが、開示されている脂肪族アルコールポリグリコールエーテルには、本発明で請求の１〜２０モルの酸化エチレンでエトキシ化されていてもよいＣ6〜Ｃ22脂肪族アルコールは示されていない。
【００１４】
特許文献８には、一種以上のカルボキシル化界面活性剤と一種以上の非カルボキシル化界面活性剤を石鹸潤滑剤と組合わせて含有する水性潤滑剤組成物が記載されている。特許文献８の表２には、９モルの酸化エチレンでエトキシ化されたノニルフェノール（５．０ｗｔ．％）、オレイルエーテル（５ＥＯ）カルボン酸ナトリウム（５．０ｗｔ．％）及びトール油脂肪酸（２０．０ｗｔ．％）を含有する潤滑剤組成物が記載されている。特許文献８には本発明に係るリン酸エステルが開示されていない。更に、特許文献８のエトキシ化ノニルフェノールに関する開示からは、本発明で請求する１〜２０モルの酸化エチレンでエトキシ化されていてもよいＣ6〜Ｃ22脂肪族アルコールは予期されない。最後に、特許文献８に記載の組成物の潤滑特性はガラス瓶とＰＥＴボトルのいずれにも適していない。
【００１５】
脂肪族アミン及び／又はジアミンは環境への懸念がある化学物質である。環境や人の健康を守るため、化学物質に対して試験を行い、その潜在的な危険性に従って分類している。ドイツ連邦環境庁（Umweltbundesamt）の水に対する有害性分類は重要な基準である。水に対する有害性分類（ＷＧＫ）は次の３クラスである。
１：水に対する有害性が低い。
２：水に対する有害性がある。
３：水に対する有害性が高い。
コンベアシステムにおいて一般に用いられるジアミンの一種であるオレイルジアミン（Ｎ−オレイル−１，３−ジアミノプロパン）は、水に対する有害性が高い化学物質（ＷＧＫ３）として分類されている。
【００１６】
一方、リン酸エステルは高濃度組成物から希釈する際に安定性の問題を示し（２相形成）、水の硬度に敏感である。また、リン酸エステル単独では、ポリエチレンテレフタレート（ＰＥＴ）やポリカーボネート（ＰＣ）等のプラスチックボトル用コンベアシステムにおいて十分な潤滑性を示さない。
【００１７】
【特許文献１】欧州特許出願公開第００４４４５８号明細書
【特許文献２】独国特許出願公開第４２４４５３６号明細書
【特許文献３】独国特許出願公開第１９６４２５９８号明細書
【特許文献４】米国特許出願公開第５０６２９７９号明細書
【特許文献５】独国特許出願公開第１９８４６９９１号明細書
【特許文献６】スペイン特許出願公開第２２０６０５２号明細書
【特許文献７】欧州特許出願公開第１６５２９０９号明細書
【特許文献８】米国特許出願公開第４８９５６６８号明細書
【発明の開示】
【発明が解決しようとする課題】
【００１８】
これまでの先行技術から結論付けられるように、当業界では今もなお、脂肪族アミン及び／又はジアミンを含有せず、安定性の問題なく高濃度組成物から希釈して得ることができ、水の硬度に対する問題を示さず、様々な材料（ガラス、ＰＥＴ、缶等）に適用可能でより多用途である、コンベアシステム用潤滑剤組成物の分野において改良が求められている。
【課題を解決するための手段】
【００１９】
本発明は、次の要素、
ａ）式（Ｉ）：
【００２０】
【化１】
0005465004.tif 000002
【００２１】
（式中、Ｒ1は直鎖又は分岐状の飽和又は不飽和Ｃ6〜Ｃ22アルキル及び／又はアルケニル基、又はＲ3（ＯＣＨ2ＣＨ2）m基を示し、Ｒ2は水素、直鎖又は分岐状の飽和又は不飽和Ｃ6〜Ｃ22アルキル及び／又はアルケニル基、又はＲ3（ＯＣＨ2ＣＨ2）m基を示し、Ｒ3は水素、又は直鎖又は分岐状の飽和又は不飽和Ｃ6〜Ｃ22アルキル及び／又はアルケニル基を示し、ｍは１〜１５の数を示し、Ｚは水素又は適切なカチオンを示す）で表わされる一種以上のリン酸エステルと、
ｂ）式（ＩＩ）：
Ｒ−Ｏ−（ＣＨ2ＣＨ2Ｏ）n−ＣＨ2ＣＯＯＭ    （ＩＩ）
（式中、Ｒは直鎖又は分岐状の飽和又は不飽和Ｃ6〜Ｃ22アルキル及び／又はアルケニル基を示し、ｎは０．５〜２０の数を示し、Ｍは水素、又はアルカリ金属、アルカリ土類金属、アンモニウム、アルキルアンモニウム、アルカノールアンモニウム及びグルコアンモニウム（glucammonium）から成る群から選択される適切なカチオンを示す）で表わされる一種以上のエーテルカルボキシレートと、
ｅ）水と、
ｃ）１〜２０モルの酸化エチレンでエトキシ化されていてもよい一種以上のＣ6〜Ｃ22脂肪酸、及び／又は
ｄ）１〜２０モルの酸化エチレンでエトキシ化されていてもよい一種以上のＣ6〜Ｃ22脂肪族アルコールとを含有し、
成分（ａ）と成分（ｂ）の重量比が９：１〜１：３の範囲であり、好ましくは５：１〜１：３の範囲であり、より好ましくは２：１〜１：２の範囲である潤滑剤組成物を提供することによって、先行技術に伴う問題に対する有効な解決法を提供するものである。
【００２２】
本発明の内容には、高濃度水性潤滑剤組成物とその潤滑剤組成物を希釈して得られる希釈水性潤滑剤組成物の両方が含まれる。
また、本発明は、本発明に係る水性潤滑剤希釈組成物をコンベアシステムに連続して又は間隔を置いて適用することから成る、コンベアシステムを潤滑するための方法も提供する。
また、本発明は、コンベアシステムを潤滑するための潤滑剤組成物の使用も提供する。
【発明を実施するための最良の形態】
【００２３】
＜リン酸エステル＞
本発明に係るリン酸エステルは、水性媒体中でＣ6〜Ｃ22脂肪族アルコールを五酸化リン（Ｐ2Ｏ5）と反応させることによって調製することができる。
【００２４】
Ｃ6〜Ｃ22脂肪族アルコールは天然油脂由来及び合成由来のものが好ましい。好ましい油脂としては、パーム油やココナッツ油、ヒマワリ油、菜種油、ヒマシ油、オリーブ油、大豆油、獣脂や骨油等の動物性脂肪、魚油、これらの硬化油や半硬化油、これらの混合物が挙げられる。天然に由来することによって、五酸化リン（Ｐ2Ｏ5）と反応するＣ6〜Ｃ22脂肪族アルコールには、多種多様のアルキル及び／又はアルケニル基（直鎖又は分岐状の飽和又は不飽和アルキル及び／又はアルケニル基）が含まれ得る。
【００２５】
特に好ましいのは、ココナッツ油、パーム油及びオリーブ油に由来するＣ6〜Ｃ22脂肪族アルコールである。このうち、リン酸エステルと反応させるＣ6〜Ｃ22脂肪族アルコールはオリーブ油に由来するのが特に好ましい。
【００２６】
Ｃ6〜Ｃ22脂肪族アルコールを五酸化リン（Ｐ2Ｏ5）と反応させて得られるリン酸エステルはリン酸モノエステル（モノアルキルエステル）とリン酸ジエステル（ジアルキルエステル）の混合物であり、得られる生成物や反応は当業者には周知である（オレニック（O'Lenick）ら、Ｓｏａｐ  Ｃｏｓｍｅｔｉｃｓ  ａｎｄ  Ｃｈｅｍｉｃａｌ  Ｓｐｅｃｉａｌｉｔｉｅｓ、１９８６年７月、２６頁）。
【００２７】
本発明においては、リン酸モノエステルとリン酸ジエステルの重量比は５０：５０〜９５：５が好ましく、５５：４５〜９０：１０がより好ましい。
【００２８】
本発明においては、式（Ｉ）で表されるリン酸エステル中、Ｚは水素又は適切なカチオンを示し、前記カチオンは、アルカリ金属、アルカリ土類金属、アンモニウム、アルキルアンモニウム、アルカノールアンモニウム及びグルコアンモニウム（glucammonium）から成る群から選択されるのが好ましい。Ｚは水素又はアルカリ金属（好ましくはリチウム、ナトリウム又はカリウム）を示すのが更に好ましい。
【００２９】
また、本発明において、好ましくは、リン酸エステルのアルキル及び／又はアルケニル基におけるＣ16〜Ｃ18の割合は７０％より高く、８０％より高いことが好ましく、８５％より高いことが更に好ましい。
【００３０】
Ｃ6〜Ｃ22脂肪族アルコールはエトキシ化されていてもよく、平均エトキシ化度は１〜１０（好ましくは２〜８）である。
【００３１】
市販のリン酸エステルの例としては、ＦＯＳＦＯＤＥＴ（商標）  ２０Ｍ（ラウリルアルコールのリン酸エステルのカリウム塩、モノエステル／ジエステル比＝８０：２０）やＦＯＳＦＯＤＥＴ（商標）  ２０Ｄ（ラウリルアルコール）のリン酸エステルのカリウム塩、モノエステル／ジエステル比＝５０：５０）、ＦＯＳＦＯＤＥＴ（商標）  ８０５０（水素添加獣脂のリン酸エステル、モノエステル／ジエステル比＝６０：４０）、ＦＯＳＦＯＤＥＴ（商標）  ＦＪＺ９０３（エトキシ化（３ＥＯ）オレイルアルコールのリン酸エステル、モノエステル／ジエステル比＝５５：４５）が挙げられるが、これらは全て欧州花王化学により上市されている。
【００３２】
＜エーテルカルボキシレート＞
式（ＩＩ）で表されるエーテルカルボキシレートは当該技術分野では周知の生成物である。マイヤー（Meijer）及びスミッド（Smid）が記載したように（Ｐｏｌｙｅｔｈｅｒ  Ｃａｒｂｏｘｙｌａｔｅｓ；Ａｎｉｏｎｉｃ  Ｓｕｒｆａｃｔａｎｔｓ；Ｓｕｒｆａｃｔａｎｔ  Ｓｃｉｅｎｃｉｅ  Ｓｅｒｉｅｓ、Ｖｏｌ．５６（ｐ．３１３〜３６１）、ヘルムート（Helmut）Ｗ．シュタッヒェ（Stache）編、ＩＳＢＮ：０−８２４７−９３９４−３）、通常、脂肪族アルコールのアルコキシル化及びそれに続くカルボキシメチル化によって得られる。
【００３３】
プロセスは２段階に分けられる。第１段階では、当業者に知られた標準的な条件下でアルコールのアルコキシル化を行う。例えば、脂肪族アルコールに酸化エチレンを付加してポリオキシエチレン基を得るが、大抵の場合、アルカリ触媒（例えば、ＮａＯＨやＫＯＨ、ＮａＯＣＨ3）を用い、広いポリオキシエチレンオキシド分布（広いエトキシ化度）を得る。特別な用途の場合には、ルイス酸によって又は金属ＮａやＮａＨを用いてエトキシ化を触媒して狭い範囲の分布（狭いエトキシ化度）を得ることができる。
【００３４】
しかし、市販のエトキシ化アルコールから開始することもできる。
【００３５】
第２段階では、還元剤（即ち、水素化ホウ素ナトリウム）の存在下、エトキシ化アルコールを強塩基（例えば、水酸化ナトリウムや水酸化カリウム）と反応させて対応するアルコキシレートを得、これをモノクロロ酢酸ナトリウム（ＳＭＣＡ）でカルボキシメチル化する。
【００３６】
式（ＩＩ）で表されるエーテルカルボキシレートはＣ6〜Ｃ22脂肪族アルコールに由来するが、この脂肪族アルコールは天然油脂由来及び合成由来のものが好ましい。好ましい油脂としては、パーム油やココナッツ油、ヒマワリ油、菜種油、ヒマシ油、オリーブ油、大豆油、獣脂や骨油等の動物性脂肪、魚油、それらの硬化油や半硬化油、それらの混合物が挙げられる。天然に由来することによって、アルコキシル化に続いてカルボキシメチル化されるＣ6〜Ｃ22脂肪族アルコールには、多種多様のアルキル及び／又はアルケニル基（直鎖又は分岐状の飽和又は不飽和アルキル及び／又はアルケニル基）が含まれ得る。
【００３７】
特に好ましいのは、ココナッツ油、パーム油及びオリーブ油に由来するＣ6〜Ｃ22脂肪族アルコールである。アルコキシル化に続いてカルボキシメチル化されるＣ6〜Ｃ22脂肪族アルコールはオリーブ油に由来するのが特に好ましい。
【００３８】
本発明においては、式（ＩＩ）で表されるエーテルカルボキシレート中、ｎの値は１〜１０の範囲（好ましくは１〜７の範囲）であり、Ｍは水素、ナトリウム又はカリウムであるのが好ましい。
【００３９】
更に、式（ＩＩ）で表されるエーテルカルボキシレート中のＣ6〜Ｃ22アルキル及び／又はアルケニル基においては、Ｃ16〜Ｃ18の割合が８０％より高いことが好ましく、８０％より高いことがより好ましく、８５％より高いことが更に好ましい。
【００４０】
式（ＩＩ）で表されるエーテルカルボキシレートの市販品の例としては、ＡＫＹＰＯ（登録商標）  ＲＯ１０ＶＧ（オレイルエーテルカルボン酸、平均エトキシ化度：１）やＡＫＹＰＯ（登録商標）  ＲＯ２０ＶＧ（オレイルエーテルカルボン酸、平均エトキシ化度：２）、ＡＫＹＰＯ（登録商標）  ＲＯ５０ＶＧ（オレイルエーテルカルボン酸、平均エトキシ化度：５）、ＡＫＹＰＯ（登録商標）  ＲＯ９０ＶＧ（オレイルエーテルカルボン酸、平均エトキシ化度：９）が挙げられるが、これらは全て欧州花王化学により上市されている。
【００４１】
＜脂肪酸＞
本発明においては、Ｃ6〜Ｃ22脂肪酸は天然由来及び／又は合成由来のものから選択することができる。即ち、合成脂肪酸に加えて天然脂肪酸を用いることもできる。天然の酸は通常純粋なものとしては存在しないため、本発明の目的には、様々な天然源から得ることのできる混合物として用いるのが好ましい。従って、脂肪酸は、ヘキサン酸、ヘプタン酸、オクタン酸、ノナン酸、９−ヘキサデセン酸、９，１２−オクタデカジエン酸、９，１２，１５−オクタデカトリエン酸、５，８，１１，１４−エイコサテトラエン酸、４，８，１２，１５，１９−ドコサペンタエン酸、マッコウクジラ油酸、ココナッツ油酸、オレイン酸、トール油酸、ヒマワリ油酸、アマニ油酸及び／又は菜種油酸から選択するのが好ましい。
【００４２】
Ｃ6〜Ｃ22脂肪酸は、１〜２０モルの酸化エチレン（好ましくは１〜１０モルの酸化エチレン）でエトキシ化されていてもよい。
【００４３】
好ましくは、本発明に係る脂肪酸におけるＣ16〜Ｃ18の割合は７０％より高く、８０％より高いことが好ましく、８５％より高いことが更に好ましい。
【００４４】
＜脂肪族アルコール＞
脂肪族アルコールとは天然油脂に由来する脂肪族アルコールである。脂肪族アルコールはその両親媒性により非イオン性界面活性剤として作用する。脂肪族アルコールは、化粧品や食品産業において乳化剤や軟化剤（emollients）、増粘剤としての用途が見出されている。
【００４５】
脂肪族アルコールは各種ワックスの共通成分であり、多くの場合、脂肪酸とのエステルとして存在するが、アルコール自体で存在することもある。
【００４６】
Ｃ6〜Ｃ22脂肪族アルコールの例としては、カプリルアルコール（１−オクタノール）やペラルゴニルアルコール（１−ノナノール）、カプリンアルコール（１−デカノール）、ラウリルアルコール（１−ドデカノール）、ミリスチルアルコール（１−テトラデカノール）、セチルアルコール（１−ヘキサデカノール）、パルミトレイルアルコール（シス−９−ヘキサデカン−１−オール）、ステアリルアルコール（１−オクタデカノール）、イソステアリルアルコール（１６−メチルヘプタデカン−１−オール）、エライジルアルコール（９Ｅ−オクタデセン−１−オール）、オレイルアルコール（シス−９−オクタデセン−１−オール）、リノレイルアルコール（９Ｚ，１２Ｚ−オクタデカジエン−１−オール）、エライドリノレイルアルコール（９Ｅ，１２Ｅ−オクタデカジエン−１−オール）、リノレニルアルコール（９Ｚ，１２Ｚ，１５Ｚ−オクタデカトリエン−１−オール）、エライドリノレニルアルコール（９Ｅ，１２Ｅ，１５−Ｅ−オクタデカトリエン−１−オール）、リシノレイルアルコール（１２−ヒドロキシ−９−オクタデセン−１−オール）、アラキジルアルコール（１−エイコサノール）、ベヘニルアルコール（１−ドコサノール）、エルシルアルコール（シス−１３−ドコセン−１−オール）が挙げられる。
【００４７】
Ｃ6〜Ｃ22脂肪族アルコールは、１〜２０モルの酸化エチレン（好ましくは１〜１０モルの酸化エチレン）でエトキシ化されていてもよい。
【００４８】
好ましくは、本発明に係る脂肪族アルコールにおけるＣ16〜Ｃ18の割合は７０％より高く、８０％より高いことが好ましく、８５％より高いことが更に好ましい。
【００４９】
＜潤滑剤組成物＞
本発明に係る潤滑剤組成物は、次の要素、
ａ）式（Ｉ）：
【００５０】
【化２】
0005465004.tif 000003
【００５１】
（式中、Ｒ1は直鎖又は分岐状の飽和又は不飽和Ｃ6〜Ｃ22アルキル及び／又はアルケニル基、又はＲ3（ＯＣＨ2ＣＨ2）m基を示し、Ｒ2は水素、直鎖又は分岐状の飽和又は不飽和Ｃ6〜Ｃ22アルキル及び／又はアルケニル基、又はＲ3（ＯＣＨ2ＣＨ2）m基を示し、Ｒ3は直鎖又は分岐状の飽和又は不飽和Ｃ6〜Ｃ22アルキル及び／又はアルケニル基を示し、ｍは１〜１５の数を示し、Ｚは水素又は適切なカチオンを示す）で表わされる一種以上のリン酸エステルと、
ｂ）式（ＩＩ）：
Ｒ−Ｏ−（ＣＨ2ＣＨ2Ｏ）n−ＣＨ2ＣＯＯＭ    （ＩＩ）
（式中、Ｒは直鎖又は分岐状の飽和又は不飽和Ｃ6〜Ｃ22アルキル及び／又はアルケニル基を示し、ｎは０．５〜２０の数を示し、Ｍは水素、又はアルカリ金属、アルカリ土類金属、アンモニウム、アルキルアンモニウム、アルカノールアンモニウム及びグルコアンモニウムから成る群から選択される適切なカチオンを示す）で表わされる一種以上のエーテルカルボキシレートと、
ｃ）１〜２０モルの酸化エチレンでエトキシ化されていてもよい一種以上のＣ6〜Ｃ22脂肪酸と、
ｄ）１〜２０モルの酸化エチレンでエトキシ化されていてもよい一種以上のＣ6〜Ｃ22脂肪族アルコールと、
ｅ）水とを含有し、
成分（ａ）と成分（ｂ）の重量比が９：１〜１：３の範囲であり、好ましくは５：１〜１：３の範囲であり、より好ましくは２：１〜１：２の範囲であるのが好ましい。
【００５２】
また、本発明の内容には、次の成分（単位は重量パーセント）、
ａ）式（Ｉ）で表されるリン酸エステル（１０〜８５％）と、
ｂ）式（ＩＩ）で表されるエーテルカルボキシレート（５〜６０％）と、
ｃ）脂肪酸（０．１〜３０％）と、
ｄ）脂肪族アルコール（０．１〜３０％）と、
ｅ）水（１００％まで添加）とを含有する高濃度水性潤滑剤組成物も含まれる。
【００５３】
本発明においては、高濃度水性潤滑剤組成物における式（ＩＩ）で表されるエーテルカルボキシレートは、
Ｉ）平均エトキシ化度が２〜８のＣ6〜Ｃ10アルキル及び／又はアルケニルエーテルカルボキシレートと、
ＩＩ）平均エトキシ化度が１〜１０（好ましくは１〜７）のＣ12〜Ｃ18アルキル及び／又はアルケニルエーテルカルボキシレートとの混合物であるのが好ましい。
【００５４】
本発明に係る高濃度水性潤滑剤組成物は、次の成分（単位は重量パーセント）、
ａ）式（Ｉ）で表されるリン酸エステル（１５〜５５％）と、
ｂ1）平均エトキシ化度が２〜８のＣ6〜Ｃ10アルキル及び／又はアルケニルエーテルカルボキシレート（５〜２０％）と、
ｂ2）平均エトキシ化度が１〜１０のＣ12〜Ｃ18アルキル及び／又はアルケニルエーテルカルボキシレート（１０〜４５％）と、
ｃ）脂肪酸（１〜２０％）と、
ｄ）脂肪族アルコール（１〜２０％）と、
ｅ）水（１００％まで添加）とを含有するのが更に好ましい。
好ましくは、本発明に係る高濃度水性潤滑剤組成物においては、Ｃ12〜Ｃ18アルキル及び／又はアルケニルエーテルカルボキシレートとＣ6〜Ｃ10アルキル及び／又はアルケニルエーテルカルボキシレートとの重量比は８：１〜１：５の範囲であり、好ましくは５：１〜１：２の範囲である。
【００５５】
本発明に係る高濃度水性潤滑剤組成物の有効成分量は好ましくは少なくとも３０重量％であり、より好ましくは少なくとも５０重量％であり、更に好ましくは少なくとも６５重量％である。該組成物の有効成分は実質的には成分（ａ）、（ｂ）、（ｃ）及び（ｄ）によってもたらされる。
【００５６】
本発明においては、前述の高濃度水性潤滑剤組成物を２〜１０，０００体積倍（好ましくは５〜１，０００倍）希釈して希釈水性潤滑剤組成物を得ることができる。前記希釈は、一段階で直接行ってもよく、中間の部分希釈組成物（即ち、高濃度組成物から始めて、２〜１００倍希釈し、最後に、所望の最終濃度まで再度希釈する）を経てもよい。このような手順は通常、高希釈組成物の搬送や貯蔵を回避するために用いる。
【００５７】
水性潤滑剤組成物は通常、コンベアシステムに適用される有効濃度が０．０１重量％〜２重量％の範囲になるように非常に希薄な状態で適用される。希釈潤滑剤組成物に存在する全有効成分（実質的には成分（ａ）、（ｂ）、（ｃ）及び（ｄ）によってもたらされる）は０．０１〜１重量％の範囲であり、好ましくは０．０２〜０．５重量％である。コンベアシステムに直接適用する希釈潤滑剤組成物を得るための高濃度潤滑剤組成物の希釈は硬水、半硬水又は軟水を用いて行うことができる。
【００５８】
また、本発明に係る水性潤滑剤組成物は、高濃度水性潤滑剤組成物又は希釈水性潤滑剤組成物として、イオン性界面活性剤や非イオン性界面活性剤、両性界面活性剤、発泡防止剤、発泡調整剤、発泡安定剤、錯化剤、キレート剤、可溶化剤、乳化剤、殺生物剤、殺菌剤、消毒剤、防かび剤、酸化防止剤、腐食防止剤、ｐＨ調整剤等の添加剤を含有することもできる。
【００５９】
このようなコンベアシステム用水性潤滑剤組成物のｐＨは、好ましくは６．０〜８．５であり、より好ましくは６．５〜８．０である。
【００６０】
本発明の高濃度水性潤滑剤組成物の粘度は５０〜２０，０００ｍＰａ（２０℃）の範囲であり、より好ましくは１００〜１０，０００ｍＰａ（２０℃）である。
【００６１】
本発明の高濃度水性潤滑剤組成物を部分希釈して部分希釈組成物（即ち、８〜１０重量％の範囲）を得る場合、前記部分希釈組成物の粘度は１００〜６，０００ｍＰａ（２０℃）の範囲であり、好ましくは１，０００ｍＰａ（２０℃）未満である。
【００６２】
本発明の希釈水性潤滑剤組成物の粘度は２０℃で水の粘度と同等かそれに近いものである。
【００６３】
本発明の組成物は、水と混合可能な可溶化剤又は水溶性の可溶化剤を含有してもよい。好ましくは、次の可溶化剤、即ち、尿素やエタノール、ｎ−プロパノール、ｉ−プロパノール、ｎ−ブタノール、エチレングリコール及び／又はブチルジグリコール、プロピレングリコール、ポリエチレングリコール、低分子量及び高分子量ポリエチレングリコール［ＨＯ−（ＣＨ2−ＣＨ2−Ｏ）n−Ｈ］（例えば、ＰＥＧ−１５０やＰＥＧ−３００、ＰＥＧ−５００、ＰＥＧ−２０００、ＰＥＧ−３５００、ＰＥＧ−８０００）、平均分子量が１５０〜５０００の範囲のメトキシポリエチレングリコール［ＣＨ3Ｏ−（ＣＨ2−ＣＨ2−Ｏ）n−Ｈ］（例えば、ＭＰＥＧ−３５０やＭＰＥＧ−５００、ＭＰＥＧ−７５０、ＭＰＥＧ−１０００、ＭＰＥＧ−２０００、ＭＰＥＧ−３０００、ＭＰＥＧ−５０００）、植物油、炭素数６〜２２のカルボン酸由来のアルコキシル化グリセリドとアルコキシル化グリセリンとの混合物（例えば、市販品ＬＥＶＥＮＯＬ（登録商標）（欧州花王化学にて販売））、アルコキシル化（好ましくはエトキシ化）グリセロール等を用い、これらの可溶化剤の一種又は数種の量を化合物ａ）、ｂ）、ｃ）及びｄ）の合計量１００重量部に対して１０〜４０重量％とする。このような可溶化剤は、水性潤滑剤組成物の潤滑作用を低下させない限りにおいて、本発明の構成において適切である。
【００６４】
コンベアシステム用水性潤滑剤組成物に含有し得る消毒剤としては、例えば、スペイン保健省出版の「Ｇｕｉａ  ｄｅ  Ｐｌａｇｕｉｃｉｄａｓ  ｕｔｉｌｉｚａｄｏｓ  ｅｎ  Ｈｉｇｉｅｎｅ  Ａｌｉｍｅｎｔａｒｉａ  ｙ  Ｓａｌｕｄ  Ｐｕｂｌｉｃａ」（ＩＳＢＮ：８４−７６０７−４９９−２）に記載のものが挙げられる。本発明においては、貯蔵タンク内やコンベアシステム上に細菌の危険性がある場合に消毒剤を用いるのが好ましい。このような消毒剤又はその混合物は、化合物ａ）、ｂ）、ｃ）及びｄ）の合計量１００重量部に対して５〜５０重量部用いることができる。本発明に係る好ましい消毒剤は二酸化塩素（ＣｌＯ2）である。
【００６５】
また、本発明の内容には、本発明に係る希釈水性潤滑剤組成物をコンベアシステムに連続して又は間隔を置いて適用することから成る、コンベアシステムを潤滑するためのプロセスも含まれる。
【００６６】
本発明に係るプロセスによって潤滑し得るコンベアシステムとしては、ガラス瓶やプラスチックボトル（例えば、ポリエチレンテレフタレート（ＰＥＴ）ボトルやポリカーボネート（ＰＣ）ボトル）、缶、ガラス容器、ドラム缶、段ボール容器等のシステムを挙げることができる。該システムがガラス瓶やポリエチレンテレフタレート（ＰＥＴ）ボトル、缶に適していることが好ましい。
【００６７】
また、本発明の内容には、コンベアシステムを潤滑するための本発明に係る希釈水性潤滑剤組成物の使用も含まれる。前記コンベアシステムとしては、ガラス瓶やプラスチックボトル（例えば、ポリエチレンテレフタレート（ＰＥＴ）ボトルやポリカーボネート（ＰＣ）ボトル）、缶、ガラス容器、ドラム缶、段ボール容器等のシステムを挙げることができる。該システムはガラス瓶やポリエチレンテレフタレート（ＰＥＴ）ボトル、各種缶に適したものであることが好ましい。
【００６８】
以下の実施例は、当業者に対して本発明を十分明確に且つ完全に説明するためのものであり、本明細書の前の部分で述べた本発明の本質的なアスペクトを何ら限定するものではない。
【実施例】
【００６９】
〔実施例１〕
水性潤滑剤組成物
次の各水性潤滑剤組成物を調製した。各数値は重量％を示す。
【００７０】
【表１】
0005465004.tif 000004
【００７１】
【表２】
0005465004.tif 000005
【００７２】
〔実施例２〕
ガラス瓶用コンベアシステムにおける潤滑
ステンレス製のボトルコンベアベルトについて摩擦抵抗試験を次の条件下で行った。
・７本のＡｌｅ型ビール瓶（０．５Ｌ）に水を充填し、摩擦抵抗を動力計を用いて引張力として測定。これらの瓶はビール用プラスチック枠内に配置されている。この枠は、ベルト上でのボトルの回転は許容するが、ボトルの転倒を防止するものである。
・ボトルの速度：約０．５ｍ／ｓ。
・ボトルコンベアベルトに対して、０．０３重量％の潤滑剤溶液を連続噴霧。
・ノズルの噴霧量：約３．５Ｌ／時間。
【００７３】
動摩擦係数（μ）は、特定のボトルで測定された張力とこのボトルの重量（グラムで表示）の係数として定義される。張力の値が一定となった時点の値を動摩擦係数とする。
【００７４】
泡の形成は視覚的に監視する。本発明に係る組成物は、泡を全く形成しないか、形成しても僅かである。
【００７５】
本発明に係る各潤滑剤組成物（実施例１の表１）及び比較例（実施例１の表２）の希釈は、エンマリッヒ・アム・ライン（Emmerich am Rhein）（ドイツ国）の水道水を用いて行った。具体的には、規則ＵＮＥ−ＥＮ１２８２９による水の硬度は１７°ｄＨ（ドイツ硬度）であった。
【００７６】
表３は、実施例１の表１及び表２に記載の各潤滑剤組成物で得られた摩擦係数を示す。
【００７７】
【表３】
0005465004.tif 000006
【００７８】
〔実施例３〕
ＰＥＴボトル用コンベアシステムにおける潤滑
ステンレス製のボトルコンベアベルトについて摩擦抵抗試験を次の条件下で行った。
・６本のＰＥＴボトル（”ｗｅｉｓｓｅ  Ｂｒｕｎｎｅｎ−Ｅｉｎｈｅｉｔｓｆｌａｓｃｈｅｎ型  ０．５Ｌ”（Ｒｏｓｔｉｐｒｉｍｐａｃ））に水を充填し、動力計を用いて引張力として抵抗を測定。これらのボトルはＰＥＴボトル用鋼製枠内に配置されている。この枠は、ベルト上でのボトルの回転は許容するが、ボトルの転倒を防止するものである。
・ボトルの速度：約０．５ｍ／ｓ。
・ボトルコンベアベルトに対して、０．０３重量％の潤滑剤溶液を連続噴霧。
・ノズルの噴霧量：約３．５Ｌ／時間。
【００７９】
動摩擦係数（μ）は、特定のボトルで測定された張力とこのボトルの重量（グラムで表示）の係数として定義される。張力の値が一定となった時点の値を動摩擦係数とする。
【００８０】
泡の形成は視覚的に監視する。本発明に係る組成物は、泡を全く形成しないか、形成しても僅かである。
【００８１】
本発明に係る各潤滑剤組成物（実施例１の表１）及び比較例（実施例１の表２）の希釈は、エンマリッヒ・アム・ライン（Emmerich am Rhein）（ドイツ国）の水道水を用いて行った。具体的には、規則ＵＮＥ−ＥＮ１２８２９による水の硬度は１７°ｄＨ（ドイツ硬度）であった。
【００８２】
表４は、実施例１の表１及び表２に記載の各潤滑剤組成物で得られた摩擦係数を示す。
【００８３】
【表４】
0005465004.tif 000007
【００８４】
各実験結果から、本発明に係る潤滑剤組成物は、ガラス瓶及びＰＥＴボトルの両者に対して、比較例に比べてコンベアシステムの摩擦を低減できる（より低い摩擦係数）ことが分かる。
【００８５】
従って、より汎用性のあるコンベアシステム用潤滑剤組成物を得ることができる。
【００８６】
組成物１及び組成物２は、特にガラス瓶に有利である。
【００８７】
更に、エーテルカルボン酸が、
Ｉ）平均エトキシ化度８のＣ8エーテルカルボン酸、
ＩＩ）平均エトキシ化度２のオレイルエーテルカルボン酸、及び
ＩＩＩ）平均エトキシ化度５のオレイルエーテルカルボン酸
の混合物である組成物４及び組成物５は、特にガラス瓶及びＰＥＴボトルの両方に有利である。
【００８８】
〔実施例４〕
コンベアシステム用潤滑剤組成物の粘性
実施例１の表１に記載のコンベアシステム用水性潤滑剤組成物の幾つかを少し希釈し、中間体である部分希釈組成物（活材料８重量％）を得た。２０℃におけるこれらの粘度をブルックフィールド粘度計ＬＶＴ（Ｂｒｏｏｋｆｉｅｌｄ  Ｅｎｇｉｎｅｅｒｉｎｇ  Ｌａｂｏｒａｔｏｒｉｅｓ社（米国マサチューセッツ州ストートン（Stoughton））を用いてＤＩＮ１３４１に従って測定した（１０００ｍＰａ．ｓまでの粘度に対してはスピンドル２（３０ｒｐｍ）、１０００〜７０００ｍＰａ．ｓの粘度に対してはスピンドル３（１２ｒｐｍ）、７０００ｍＰａ．ｓを超える粘度に対してはスピンドル４（１２ｒｐｍ））。
【００８９】
本発明に係る各潤滑剤組成物（実施例１の表１）及び比較例（実施例１の表２）の希釈は、エンマリッヒ・アム・ライン（Emmerich am Rhein）（ドイツ国）の水道水を用いて行った。具体的には、規則ＵＮＥ−ＥＮ１２８２９による水の硬度は１７°ｄＨ（ドイツ硬度）であった。
【００９０】
【表５】
0005465004.tif 000008
【００９１】
組成物は全て、視覚的には濁っておらず、堆積物、沈澱物、油層の形成は見られなかった。
【００９２】
実験結果から、本発明に係るコンベアシステム用水性潤滑剤組成物は、室温において圧送可能であり、均質であると結論付けることができる。更に、エーテルカルボン酸が、
Ｉ）平均エトキシ化度８のＣ8エーテルカルボン酸、
ＩＩ）平均エトキシ化度２のオレイルエーテルカルボン酸、及び
ＩＩＩ）平均エトキシ化度５のオレイルエーテルカルボン酸
の混合物である組成物は、粘性の観点から特に有利である（より良い圧送性）ことに注目すべきである。
【００９３】
〔実施例５〕
他の本発明潤滑剤組成物
【００９４】
【表６】
0005465004.tif 000009
【００９５】
【表７】
0005465004.tif 000010
【００９６】
【表８】
0005465004.tif 000011
【００９７】
【表９】
0005465004.tif 000012
【００９８】
〔実施例６〕
ＵＳ−Ａ−４８９５６６８に記載の潤滑剤組成物
ＵＳ４８９５６６８に記載の潤滑剤組成物（組成物Ｃ５）と、これと同様ではあるがリン酸エステル及び脂肪アルコールを含有する潤滑剤組成物（実施例３３）とを調製した。これらの組成を表１０に示す。値は重量％を示す（活材料としての成分）。
【００９９】
【表１０】
0005465004.tif 000013
【０１００】
ガラス瓶及びＰＥＴボトルに対する上記組成物の動摩擦係数（μ）を、実施例２及び実施例３に記載の方法に従って測定した。結果を表１１に示す。
【０１０１】
【表１１】
0005465004.tif 000014
【０１０２】
これらの結果から、本発明の組成物は、ガラス瓶及びＰＥＴボトルに対する潤滑に関して、ＵＳ４８９５６６８の潤滑剤組成物よりも優れていることが分かる。